【手続補正書】
【提出日】平成19年10月29日(2007.10.29)
【手続補正１】
【補正対象書類名】特許請求の範囲
【補正対象項目名】全文
【補正方法】変更
【補正の内容】
【特許請求の範囲】
【請求項１】
電子ファイルに基づいて生成された印刷データを印刷するとともに、該印刷データに関する管理情報を生成する印刷装置であって、
電子ファイルに基づいて生成された印刷データ、及びそれに付随する前記電子ファイルの識別情報を受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する生成手段と、
前記生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含する場合、前記生成手段は、更に、前記受信印刷データが登録済印刷データの一部であることを示す部分情報を生成する
ことを特徴とする印刷装置。
【請求項２】
前記比較手段の比較の結果、前記受信手段で受信した識別情報が前記管理装置で未登録である場合、前記生成手段は、該識別情報、前記受信印刷データを含む管理情報を生成する
ことを特徴とする請求項１に記載の印刷装置。
【請求項３】
前記比較手段の比較の結果、前記受信手段で受信した識別情報が前記管理装置で登録されていて、かつその登録済の識別情報に関連付けられている登録済印刷データと、前記受信印刷データが同一である場合、前記生成手段は、更に、前記登録済の識別情報に関連付ける、前記受信済印刷データの追跡用情報を生成する
ことを特徴とする請求項２に記載の印刷装置。
【請求項４】
電子ファイルに基づいて生成された印刷データを印刷するとともに、該印刷データに関する管理情報を生成する印刷装置であって、
電子ファイルに基づいて生成された印刷データ、及びそれに付随する前記電子ファイルの識別情報を受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する生成手段と、
前記生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含しない場合、前記生成手段は、更に、前記登録済印刷データと前記受信印刷データの差分印刷データを生成するとともに、前記登録手段は、前記登録済印刷データを削除する
ことを特徴とする印刷装置。
【請求項５】
前記受信手段が、更に、前記印刷データに付随する印刷データ変換指令を受信した場合、該印刷変換指令に基づいて印刷データを変換する変換手段を更に備える
ことを特徴とする請求項１に記載の印刷装置。
【請求項６】
印刷装置に出力する印刷データを生成する情報処理装置であって、
指定された電子ファイルに基づいて印刷データを生成する生成手段と、
印刷データ変換指令に基づいて、印刷データを変換する変換手段と、
前記電子ファイルの属性情報に基づいて、前記生成手段で生成した印刷データに対する前記印刷データ変換指令に基づく前記変換手段の実行を禁止する禁止手段と、
前記禁止手段による禁止を実行した場合、前記印刷データ、及びそれに付随する前記印刷データ変換指令を前記印刷装置に送信する送信手段と
を備えることを特徴とする情報処理装置。
【請求項７】
印刷データを生成する情報処理装置と、該印刷データを受信する印刷装置とがネットワークを介して接続されて構成される印刷管理システムであって、
前記情報処理装置は、
指定された電子ファイルに基づいて印刷データを生成する第１生成手段と、
前記第１生成手段で生成した印刷データ、及びそれに付随する前記電子ファイルの識別情報を前記印刷装置に送信する送信手段とを備え、
前記印刷装置は、
前記情報処理装置は、前記印刷データ、及びそれに付随する前記電子ファイルの識別情報を前記情報処理装置から受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する第２生成手段と、
前記第２生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含する場合、前記第２生成手段は、更に、前記受信印刷データが登録済印刷データの一部であることを示す部分情報を生成する
ことを特徴とする印刷管理システム。
【請求項８】
印刷データを生成する情報処理装置と、該印刷データを受信する印刷装置とがネットワークを介して接続されて構成される印刷管理システムであって、
前記情報処理装置は、
指定された電子ファイルに基づいて印刷データを生成する第１生成手段と、
前記第１生成手段で生成した印刷データ、及びそれに付随する前記電子ファイルの識別情報を前記印刷装置に送信する送信手段とを備え、
前記印刷装置は、
前記情報処理装置は、前記印刷データ、及びそれに付随する前記電子ファイルの識別情報を前記情報処理装置から受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する第２生成手段と、
前記第２生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含しない場合、前記第２生成手段は、更に、前記登録済印刷データと前記受信印刷データの差分印刷データを生成するとともに、前記登録手段は、前記登録済印刷データを削除する
ことを特徴とする印刷管理システム。
【請求項９】
印刷データを生成する情報処理装置と、該印刷データを受信する印刷装置とがネットワークを介して接続されて構成される印刷管理システムであって、
前記情報処理装置は、
指定された電子ファイルに基づいて印刷データを生成する第１生成手段と、
印刷データ変換指令に基づいて、印刷データを変換する変換手段と、
前記電子ファイルの属性情報に基づいて、前記生成手段で生成した印刷データに対する前記印刷データ変換指令に基づく前記変換手段の実行を禁止する禁止手段と、
前記禁止手段による禁止を実行した場合、前記印刷データと、それに付随する前記電子ファイルの識別情報及び前記印刷データ変換指令を前記印刷装置に送信する送信手段とを備え、
前記印刷装置は、
前記印刷データと、それに付随する前記電子ファイルの識別情報及び前記印刷データ変換指令を前記情報処理装置から受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する第２生成手段と、
前記第２生成手段で生成した管理情報を前記管理装置に登録する登録手段と、
前記印刷変換指令に基づいて印刷データを変換する変換手段と
を備えることを特徴とする印刷管理システム。
【請求項１０】
電子ファイルに基づいて生成された印刷データを印刷するとともに、該印刷データに関する管理情報を生成する印刷装置の制御方法であって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含する場合、前記生成工程は、更に、前記受信印刷データが登録済印刷データの一部であることを示す部分情報を生成する
ことを特徴とする印刷装置の制御方法。
【請求項１１】
電子ファイルに基づいて生成された印刷データを印刷するとともに、該印刷データに関する管理情報を生成する印刷装置の制御方法であって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含しない場合、前記生成工程は、更に、前記登録済印刷データと前記受信印刷データの差分印刷データを生成するとともに、前記登録工程は、前記登録済印刷データを削除する
ことを特徴とする印刷装置の制御方法。
【請求項１２】
印刷装置に出力する印刷データを生成する情報処理装置の制御方法であって、
指定された電子ファイルに基づいて印刷データを生成する生成工程と、
印刷データ変換指令に基づいて、印刷データを変換する変換工程と、
前記電子ファイルの属性情報に基づいて、前記生成工程で生成した印刷データに対する前記印刷データ変換指令に基づく前記変換工程の実行を禁止する禁止工程と、
前記禁止工程による禁止を実行した場合、前記印刷データ、及びそれに付随する前記印刷データ変換指令を前記印刷装置に送信する送信工程と
を備えることを特徴とする情報処理装置の制御方法。
【請求項１３】
電子ファイルに基づいて生成された印刷データを印刷するとともに、該印刷データに関する管理情報を生成する印刷装置の制御をコンピュータに実行させるためのプログラムであって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含する場合、前記生成工程は、更に、前記受信印刷データが登録済印刷データの一部であることを示す部分情報を生成する
ことをコンピュータに実行させることを特徴とするプログラム。
【請求項１４】
電子ファイルに基づいて生成された印刷データを印刷するとともに、該印刷データに関する管理情報を生成する印刷装置の制御をコンピュータに実行させるためのプログラムであって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含しない場合、前記生成工程は、更に、前記登録済印刷データと前記受信印刷データの差分印刷データを生成するとともに、前記登録工程は、前記登録済印刷データを削除する
ことをコンピュータに実行させることを特徴とするプログラム。
【請求項１５】
印刷装置に出力する印刷データを生成する情報処理装置の制御をコンピュータに実行させるためのプログラムであって、
指定された電子ファイルに基づいて印刷データを生成する生成工程と、
印刷データ変換指令に基づいて、印刷データを変換する変換工程と、
前記電子ファイルの属性情報に基づいて、前記生成工程で生成した印刷データに対する前記印刷データ変換指令に基づく前記変換工程の実行を禁止する禁止工程と、
前記禁止工程による禁止を実行した場合、前記印刷データ、及びそれに付随する前記印刷データ変換指令を前記印刷装置に送信する送信工程と
をコンピュータに実行させることを特徴とするプログラム。
【手続補正２】
【補正対象書類名】明細書
【補正対象項目名】００１０
【補正方法】変更
【補正の内容】
【００１０】
上記の目的を達成するための本発明による印刷装置は以下の構成を備える。即ち、
電子ファイルに基づいて生成された印刷データを印刷するとともに、該印刷データに関する管理情報を生成する印刷装置であって、
電子ファイルに基づいて生成された印刷データ、及びそれに付随する前記電子ファイルの識別情報を受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する生成手段と、
前記生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含する場合、前記生成手段は、更に、前記受信印刷データが登録済印刷データの一部であることを示す部分情報を生成する。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
上記の目的を達成するための本発明による印刷装置は以下の構成を備える。即ち、
電子ファイルに基づいて生成された印刷データを印刷するとともに、該印刷データに関する管理情報を生成する印刷装置であって、
電子ファイルに基づいて生成された印刷データ、及びそれに付随する前記電子ファイルの識別情報を受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する生成手段と、
前記生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含しない場合、前記生成手段は、更に、前記登録済印刷データと前記受信印刷データの差分印刷データを生成するとともに、前記登録手段は、前記登録済印刷データを削除する。
【手続補正５】
【補正対象書類名】明細書
【補正対象項目名】００１７
【補正方法】変更
【補正の内容】
【００１７】
上記の目的を達成するための本発明による印刷管理システムは以下の構成を備える。即ち、
印刷データを生成する情報処理装置と、該印刷データを受信する印刷装置とがネットワークを介して接続されて構成される印刷管理システムであって、
前記情報処理装置は、
指定された電子ファイルに基づいて印刷データを生成する第１生成手段と、
前記第１生成手段で生成した印刷データ、及びそれに付随する前記電子ファイルの識別情報を前記印刷装置に送信する送信手段とを備え、
前記印刷装置は、
前記情報処理装置は、前記印刷データ、及びそれに付随する前記電子ファイルの識別情報を前記情報処理装置から受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する第２生成手段と、
前記第２生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含する場合、前記第２生成手段は、更に、前記受信印刷データが登録済印刷データの一部であることを示す部分情報を生成する。
上記の目的を達成するための本発明による印刷管理システムは以下の構成を備える。即ち、
印刷データを生成する情報処理装置と、該印刷データを受信する印刷装置とがネットワークを介して接続されて構成される印刷管理システムであって、
前記情報処理装置は、
指定された電子ファイルに基づいて印刷データを生成する第１生成手段と、
前記第１生成手段で生成した印刷データ、及びそれに付随する前記電子ファイルの識別情報を前記印刷装置に送信する送信手段とを備え、
前記印刷装置は、
前記情報処理装置は、前記印刷データ、及びそれに付随する前記電子ファイルの識別情報を前記情報処理装置から受信する受信手段と、
前記受信手段で受信した識別情報に基づいて、前記受信手段で受信した受信印刷データと、管理装置に登録されている登録済印刷データとを比較する比較手段と、
前記比較手段の比較結果に基づいて、前記受信印刷データに関する管理情報を生成する第２生成手段と、
前記第２生成手段で生成した管理情報を前記管理装置に登録する登録手段とを備え、
前記比較手段の比較の結果、前記受信手段で受信した識別情報が前記管理装置で登録されていて、かつその登録済の識別情報に関連付けられている登録済印刷データの一部に、前記受信印刷データが完全に包含しない場合、前記第２生成手段は、更に、前記登録済印刷データと前記受信印刷データの差分印刷データを生成するとともに、前記登録手段は、前記登録済印刷データを削除する。
【手続補正６】
【補正対象書類名】明細書
【補正対象項目名】００１９
【補正方法】変更
【補正の内容】
【００１９】
上記の目的を達成するための本発明による印刷装置の制御方法は以下の構成を備える。即ち、
電子ファイルに基づいて生成された印刷データを印刷するとともに、該印刷データに関する管理情報を生成する印刷装置の制御方法であって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含する場合、前記生成工程は、更に、前記受信印刷データが登録済印刷データの一部であることを示す部分情報を生成する。
上記の目的を達成するための本発明による印刷装置の制御方法は以下の構成を備える。即ち、
電子ファイルに基づいて生成された印刷データを印刷するとともに、該印刷データに関する管理情報を生成する印刷装置の制御方法であって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含しない場合、前記生成工程は、更に、前記登録済印刷データと前記受信印刷データの差分印刷データを生成するとともに、前記登録工程は、前記登録済印刷データを削除する。
【手続補正７】
【補正対象書類名】明細書
【補正対象項目名】００２１
【補正方法】変更
【補正の内容】
【００２１】
上記の目的を達成するための本発明によるプログラムは以下の構成を備える。即ち、
電子ファイルに基づいて生成された印刷データを印刷するとともに、該印刷データに関する管理情報を生成する印刷装置の制御をコンピュータに実行させるためのプログラムであって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含する場合、前記生成工程は、更に、前記受信印刷データが登録済印刷データの一部であることを示す部分情報を生成する。
上記の目的を達成するための本発明によるプログラムは以下の構成を備える。即ち、
電子ファイルに基づいて生成された印刷データを印刷するとともに、該印刷データに関する管理情報を生成する印刷装置の制御をコンピュータに実行させるためのプログラムであって、
電子ファイルに基づいて生成された印刷データ、及びそれに付随する前記電子ファイルの識別情報を受信する受信工程と、
前記受信工程で受信した識別情報に基づいて、前記受信工程で受信した受信印刷データと、管理装置に登録されている登録済印刷データとを比較する比較工程と、
前記比較工程の比較結果に基づいて、前記受信印刷データに関する管理情報を生成する生成工程と、
前記生成工程で生成した管理情報を前記管理装置に登録する登録工程とを備え、
前記比較工程の比較の結果、前記受信工程で受信した識別情報が前記管理装置で登録されていて、かつその登録済の識別情報に関連付けられている登録済印刷データの一部に、前記受信印刷データが完全に包含しない場合、前記生成工程は、更に、前記登録済印刷データと前記受信印刷データの差分印刷データを生成するとともに、前記登録工程は、前記登録済印刷データを削除する。